(57)【要約】【課題】人が中に立つ時間帯および人が中に立たない時間帯の両方で、効率よく利用できるテーブルシステムを提供できる。【解決手段】第１天板および前記第１天板を移動可能に支持する第１支持部を備えた第１テーブルと、第１天板を嵌合するため、第１天板の外周形状に応じた凹形状の一辺を有する第２天板および前記第２天板を支持する第２支持部を備えた第２テーブルと、を含み、第１テーブルを前記第２テーブルに嵌合させて、全体として一つの展示台として機能させるためのディスプレイモードと、第１テーブルから前記第２テーブルを離間させて、その間隙に人を立たせ、前記第２テーブルをカウンタとして機能させるためのカウンタモードとで、第１テーブルおよび前記第２テーブルのレイアウトを変更可能なテーブルシステム。【選択図】  図１
2015171512.tif 000002
【特許請求の範囲】
【請求項１】
第１天板および前記第１天板を支持する第１支持部を備えた第１テーブルと、
前記第１天板を嵌合するため、前記第１天板の外周形状に応じた凹形状の一辺を有する第２天板を備えた第２テーブルと、
を含み、
前記第１テーブルを前記第２テーブルに嵌合させて、全体として一つの展示台として機能させるためのディスプレイモードと、
前記第１テーブルから前記第２テーブルを離間させて、その間隙に人を立たせ、前記第２テーブルをカウンタとして機能させるためのカウンタモードとで、
前記第１テーブルおよび前記第２テーブルのレイアウトを変更可能なテーブルシステム。
【請求項２】
前記第１支持部が、前記第１天板を上下動するための昇降手段を備えた請求項１に記載のテーブルシステム。
【請求項３】
前記第１テーブルの少なくとも一部を収容するテーブル収容部を備えた背面壁部をさらに備える請求項１または２に記載のテーブルシステム。
【請求項４】
前記背面壁部は、前記ディスプレイモードで前記第１、第２テーブル上に置くべき商品を収容するための商品収容部をさらに備えた請求項３に記載のテーブルシステム。
【請求項５】
前記第１支持部が前記第１天板を前記第２天板の高さより下方に移動させることにより、前記カウンタモードにおいて、前記第１テーブルを、椅子として機能させる請求項１乃至４のいずれか１項に記載のテーブルシステム。
【発明の詳細な説明】
【技術分野】
【０００１】
本発明は、変形可能なテーブルシステムに関する。
【背景技術】
【０００２】
従来から、スーパー等の店舗において、販売員がテーブルの奥に立ち、テーブル上で料理や商品説明を行なうためのブースが知られている。
【先行技術文献】
【特許文献】
【０００３】
【特許文献１】実全平01-112729号公報
【特許文献２】実全昭63-091037号公報
【特許文献３】実用新案登録第3012503号
【特許文献４】実用新案登録第3128994号公報
【発明の概要】
【発明が解決しようとする課題】
【０００４】
しかしながら、上記のようなブースでは、販売員が不在の時間帯に非常に無駄なスペースが生まれてしまうという課題がある。つまり、人が中に立つ時間帯および人が中に立たない時間帯の両方で、効率よく利用できるテーブルは存在していなかった。
【０００５】
一方、特許文献１〜４には、分離移動可能なテーブルセットに関する技術が開示されているが、各文献に記載の技術は、いずれも、人が立つための隙間を作るものではなく、上記課題を解決することができなかった。
【０００６】
本発明の目的は、上述の課題を解決する技術を提供することにある。
【課題を解決するための手段】
【０００７】
上記目的を達成するため、本発明に係るシステムは、
第１天板および前記第１天板を支持する第１支持部を備えた第１テーブルと、
前記第１天板を嵌合するため、前記第１天板の外周形状に応じた凹形状の一辺を有する第２天板および前記第２天板を支持する第２支持部を備えた第２テーブルと、
を含み、
前記第１テーブルを前記第２テーブルに嵌合させて、全体として一つの展示台として機能させるためのディスプレイモードと、
前記第１テーブルから前記第２テーブルを離間させて、その間隙に人を立たせ、前記第２テーブルをカウンタとして機能させるためのカウンタモードとで、
前記第１テーブルおよび前記第２テーブルのレイアウトを変更可能なテーブルシステム。
【発明の効果】
【０００８】
本発明によれば、人が中に立つ時間帯および人が中に立たない時間帯の両方で、効率よく利用できるテーブルシステムを提供できる。
【図面の簡単な説明】
【０００９】
【図１】本発明の第１実施形態に係るテーブルシステムの構成を示す図である。
【図２】本発明の第１実施形態に係るテーブルシステムの構成を示す図である。
【図３】本発明の第１実施形態に係るテーブルシステムの構成を示す図である。
【図４】本発明の第１実施形態に係るテーブルシステムの構成を示す図である。
【図５】本発明の第１実施形態に係るテーブルシステムの構成を示す図である。
【図６】本発明の第１実施形態に係るテーブルシステムの構成を示す図である。
【図７】本発明の第１実施形態に係るテーブルシステムの構成を示す図である。
【図８】本発明の第２実施形態に係るテーブルシステムの構成を示す図である。
【図９】本発明の第３実施形態に係るテーブルシステムの構成を示す図である。
【図１０】本発明のその他の実施形態に係るテーブルシステムの構成を示す図である。
【発明を実施するための形態】
【００１０】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。
【００１１】
［第１実施形態］
本発明の第１実施形態としてのテーブルシステム１００について、図１乃至図８を用いて説明する。
【００１２】
（全体構成）
図１、図２に示すように、テーブルシステム１００は、スーパーなどの特設コーナーの設営のために用いられるテーブルシステムである。テーブルシステム１００は、第１テーブルとしてのテーブル１０１と、第２テーブルとしてのテーブル１０２と、背面壁部としての背面パネル１０３とを含む。
【００１３】
図１では、天板を上方に移動させたテーブル１０１とテーブル１０２とを組み合わせて、全体として一つの展示台として機能させるためのディスプレイモードについて示している。
【００１４】
一方、図２では、テーブル１０１の天板を下方に移動させ、テーブル１０２を前方にスライドさせ、テーブル１０１と離間させて、その間に人２０１を立たせ、テーブル１０２をカウンタとして機能させるためのカウンタモードについて示している。
【００１５】
すなわち、テーブル１０１は、少なくとも天板が上下動可能であり、かつ、床面に沿って移動可能である。また、テーブル１０２も床面に沿って移動可能であり、テーブル１０１との間の嵌合および離間を、女性の力でもスムーズに行なえる構成となっている。テーブル１０２は、前面（外側）に、商品を陳列できるディスプレイ用の棚１２１を備えている。
【００１６】
背面パネル１０３は、フラットディプレイ１３１を備えており、商品のコマーシャルフィルムなどを表示できる。
【００１７】
図３は、テーブルシステム１００を上方からみた平面図である。ディスプレイモードでは、テーブル１０１の天板３０１が、テーブル１０２の天板３０２の凹形状の一辺３２１に対して、ぴったりと嵌り、上方からみて隙間のない、大きな一つの展示台３１０を構成する。また、テーブル１０１の天板３０１がテーブル１０２の天板３０２に嵌合した状態で、背面側端面３２０は、同一平面上に揃い、その平面と背面パネル１０３の前面が接する。そのため、背面パネル１０３と、テーブル１０１、１０２とで、非常に一体感のある商品ディスプレイを行なうことが可能となる。
【００１８】
一方、カウンタモードでは、右図に示すように、テーブル１０２が、テーブル１０１および背面パネル１０３から離れ、販売員などの人２０１が歩くための間隙（スペース）３３０が形成される。さらにカウンタモードでは、人２０１が立って何らかのパフォーマンス（例えば料理や商品説明や接客など）を行なうためのスペース３４０が形成される。
【００１９】
（昇降機構）
ここで、図４乃至図６を用いてテーブル１０１の昇降機構について、より詳しく説明する。図４は、テーブル１０２を透過させたテーブルシステム１００を正面から見た図である。図５は、テーブル１０１を側面からみた断面図である。図６は、テーブル１０１を昇降することによる、ディスプレイモードでの２つの利用形態を示す図である。図４に示すように、テーブル１０１は、天板３０１と支持台４０１と、それらをつなぐ支持柱４０２と、移動手段としてのキャスタ４０３とを含む。また、テーブル１０２の下面にも、移動手段としてのキャスタ４０４が設けられている。さらに図５に示すように、背面パネル１０３にもキャスタ５３２が設けられており、移動可能に構成されている。
【００２０】
天板３０１は支持柱４０２に固定され、支持柱４０２は支持台４０１によって支持されている。つまり、支持柱４０２および支持台４０１が天板３０１の支持部として機能する。支持柱４０２は、昇降手段として、円柱状上柱が円筒状下柱の内部をスライドしつつ所望の位置で固定できる仕組みを有している。また、支持柱４０２には、さらにエアダンパ（不図示）が内蔵され、天板３０１をゆっくりと昇降できる機構になっている。汎用のオフィスチェアに使われているようなガスシリンダを使ってもよい。図５（ａ）のように、天板３０１が下降して、支持台４０１に当接した状態と、図５（ｂ）のように、天板３０１が上昇して、テーブル１０２との高さの差を生かす状態とで、テーブル１０１を使い分けることができる。
【００２１】
なお、支持台４０１内部の空間５０１を、商品収納用の収納庫として利用できる構成にしてもよい。例えば、テーブル１０１の背面下方に扉を設け、その扉を開放して、一定量の商品をテーブル１０１内に収納できるようにすれば、カウンタモードとディスプレイモードの切替が、非常に簡便になる。同様に、背面パネル１０３の内部に商品収納棚５３１を設けて、商品を収納できる構成にしてもよく、その場合、テーブル１０１を、背面パネル１０３内の商品収納棚５３１の蓋または扉として利用してもよい。さらに、商品収納棚５３１の商品に対して、カウンタ側からも、背面側からもアクセスできる構成であれば、より使い勝手がよい。その場合、背面パネル１０３の前面（カウンタ側）および後面の両面に商品収納棚５３１用の扉を設けてもよいし、前面には扉を設けず、テーブル１０１を扉がわりに用いてもよい。このような商品収納場所の存在により、ディスプレイモードでの使用時とカウンタモードでの使用時で、商品をバックヤードに片付けたり、バックヤードから運んだりするといった手間を省くことができ、非常に迅速、効果的かつ効率的に、それらのモード間の切替を行なうことができる。
【００２２】
テーブル１０１を下降させるのは、カウンタモードに限ったものではなく、ディスプレイモードで使用する際に、商品の種類やその見せ方に応じて、テーブル１０１を昇降させてもよい。つまり、図６（ａ）に示すように、テーブル１０１を下降させてフラットにした状態でディスプレイモードにして使用してもよい。この場合、図６（ｂ）のように、テーブル１０１を上昇させた場合とは異なる印象を与えることができる。
【００２３】
一方、カウンタモード時に、テーブル１０１を下降させた状態で、販売員等の椅子として利用できるように、下降機構および下降位置を設定してもよい。そうすることで、カウンタモード時の販売員等の疲労を軽減させることができる。
【００２４】
なお、図７に示すように、背面パネル１０３は、キャスター５３２が取り付けられた底面から延設されて外部のコンセントと接続される電源ケーブル７０１と、外部に電源を供給するための複数のコンセント７０２とを備えていることが好ましい。その場合、テーブル１０２の天板３０２を支持する支持台７２２の底面７２３から下方に延びた電源ケーブル７０３を、コンセント７０２に接続することで、テーブル１０２の棚１２１に置かれた商品をライトアップする照明（不図示）等に電力を供給することが可能となる。このように、電源ケーブル７０３の取り出し口を支持台７２２の底面７２３に設けたため、ディスプレイモードでテーブル１０２と組み合わせる際にも、電源ケーブルが邪魔にならないという効果がある。
【００２５】
以上説明したように、本実施形態によれば、ディスプレイモードとカウンタモードとの間でテーブル１０１およびテーブル１０２のレイアウトを変更可能である。これにより、一つのテーブルシステムを、人が中に立つ時間帯および人が中に立たない時間帯の両方で、効率よく利用でき、販売効率やスペース効率を向上させることができる。
【００２６】
［第２実施形態］
次に本発明の第２実施形態に係るテーブルシステム８００について、図８を用いて説明する。図８〜図９は、本実施形態に係るテーブルシステム８００の構成を説明するための図である。本実施形態に係るテーブルシステム８００は、上記第１実施形態と比べると、図８に示すとおり、背面パネル８０３がテーブル１０１の少なくとも一部を収容するためのテーブル収容部８３１を備えた点で異なる。その他の構成および動作は、第１実施形態と同様であるため、同じ構成および動作については同じ符号を付してその詳しい説明を省略する。
【００２７】
テーブル収容部８３１は、背面パネル１０３内に形成された直方体の空間であり、テーブル１０１の幅よりも大きな幅Ｗを有する。また、本実施形態では、テーブル収容部８３１は、テーブル１０１の奥行きよりも小さな奥行きＤを有しており、そのため、収容してもテーブル１０１の一部は、外部に突出した状態となる。これにより、カウンタモードであってもテーブル１０１の一部を利用できるという利点がある。しかし、本発明はこれに限定されるものではなく、テーブル１０１の全体を収容できるようにより大きな奥行きＤでテーブル収容部８３１を形成してもよい。
【００２８】
図９に示すとおり、テーブル収容部８３１を設けたことにより、カウンタモードで使用する際に、ブース内のスペース９００を、第１実施形態に比べて大きくすることができる。これにより、販売員２１０などは、カウンタ内でより一層動きやすくなる。
【００２９】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【００３０】
また、上記実施形態では、テーブル１０１を半円柱形状とし、テーブル１０２を半ドーナツ形状としたが、本発明はこれに限定されるものではない。テーブル１０１、１０２の天板形状は、図１０（ａ）〜（ｊ）に示すように、様々な組み合わせが考えられる。すなわち、まずは、どちらも長方形のもの（ｂ）、テーブル１０１が半円で、組み合わせて長方形のテーブルになるもの（ｃ）、テーブル１０１が長方形で組み合わせて半円のテーブルになるもの（ｄ）が考えられる。その他、テーブル１０１も組合せ後もいずれも台形のもの（ｅ）、テーブル１０１が台形で組み合わせて長方形のもの（ｆ）、テーブル１０１が台形で組み合わせて半円のもの（ｇ）、テーブル１０１が多角形で組み合わせて長方形のもの（ｈ）がある。また、テーブル１０１が多角形で組み合わせて半円のもの（ｉ）、テーブル１０１が多角形で組み合わせて多角形のもの（ｊ）も考えられる。またさらには、テーブル１０１と背面パネル１０３が結合して一体となっている形態もの（ｋ）やテーブル１０１が背面パネル１０３と一部で接続されているもの（ｌ）も本発明に含まれる。
【００３１】
［産業上の利用可能性］
上記実施形態では、スーパーなどの販売店において、本発明に係るテーブルシステムを利用する状況について説明したが、本発明はこれに限定されるものではない。例えば、司会者が司会をするカウンタモードと、司会者がおらず花だけが祭壇に飾られるディスプレイモードとの間で変形して利用してもよい。また、例えば、病院や会社の受け付けにおいて、受付担当者が出勤中は、カウンタモードで利用し、受付担当者が退社後は、ディスプレイモードでテーブル１０２に電話のみを設置して、来客に電話操作を促してもよい。さらに、例えば、屋外イベントや駅構内や空港内において、ディスプレイモードではテーブルシステム上に商品やイベント宣伝用のパンフレットを置き、カウンタモードでは、テーブルシステム内で、人が直接販促品を配るといった利用法も考えられる。
【図１】
2015171512.tif 000003
【図２】
2015171512.tif 000004
【図３】
2015171512.tif 000005
【図４】
2015171512.tif 000006
【図５】
2015171512.tif 000007
【図６】
2015171512.tif 000008
【図７】
2015171512.tif 000009
【図８】
2015171512.tif 000010
【図９】
2015171512.tif 000011
【図１０】
2015171512.tif 000012